(57)【要約】      （修正有）【課題】タブレット型コンピュータの折り畳み可能なカバーを提供する。【解決手段】下部ケース１０および上部カバー２０を備える。下部ケース１０は、タブレット型コンピュータ３００を覆い、タブレット型コンピュータのハードウェアを保護する。上部カバー２０は、複数の折目を有し、下部ケース１０に回転可能に接続され、タブレット型コンピュータのスクリーンを保護する。折目に沿って上部カバーを折ると、上部カバー２０と下部ケース１０とは、タブレット型コンピュータを支持可能な立体的な形状を形成する。【選択図】図１
0003174584.tif 000002
【実用新案登録請求の範囲】
【請求項１】
タブレット型コンピュータを保護するカバーであって、
前記タブレット型コンピュータを覆い、前記タブレット型コンピュータのハードウェアを保護する下部ケースと、
複数の折目を有し、前記下部ケースに回転可能に接続され、前記タブレット型コンピュータのスクリーン鏡面保護する上部カバーと、を備え、
前記折目に沿って前記上部カバーを折ると、前記上部カバーと前記下部ケースとは、前記タブレット型コンピュータを支持可能な立体的な形状を形成することを特徴とするタブレット型コンピュータの折り畳み可能なカバー。
【請求項２】
複数の前記折目は、互いに平行する平行折目（Ｆ、Ｇ、Ｈ）を含み、
前記平行折目は、前記上部カバーを複数の長方形部分に切り分けることを特徴とする請求項１記載のタブレット型コンピュータの折り畳み可能なカバー。
【請求項３】
複数の前記折目は、互いに交わる互交折目を含み、
前記互交折目は、前記上部カバーを複数の三角形部分（Ａ、Ｂ、Ｃ）および長方形部分（Ｄ、Ｅ）に切り分け、
複数の三角形部分（Ａ、Ｂ、Ｃ）は、一つの二等辺三角部分（Ｂ）が二つの直角三角形部分（Ａ、Ｃ）に挟まれる配置を有することを特徴とする請求項１記載のタブレット型コンピュータの折り畳み可能なカバー。
【請求項４】
前記複数の前記折目は、互いに平行する平行折目をさらに含み、
前記互交折目と前記平行折目とが互いに交わることを特徴とする請求項３記載のタブレット型コンピュータの折り畳み可能なカバー。
【請求項５】
前記平行折目は横方向に複数本（Ｆ、Ｇ、Ｈ）形成されていることを特徴とする請求項４記載のタブレット型コンピュータの折り畳み可能なカバー。
【請求項６】
前記長方形部分（Ｄ、Ｅ）は、大きさおよび形状が相同である二つの三角形部分（Ｌ、Ｍ、Ｎ、Ｏ）に切り分けられることを特徴とする請求項３〜５のいずれか一項に記載のタブレット型コンピュータの折り畳み可能なカバー。
【考案の詳細な説明】
【技術分野】
【０００１】
本考案はタブレット型コンピュータの折り畳み可能なカバーに関する。
【背景技術】
【０００２】
従来、タブレット型コンピュータのスクリーンを保護するためのタブレット型コンピュータのカバーが知られている。例えば、特許文献１では、タブレット型コンピュータのカバーは、タブレット型コンピュータのスクリーンを保護する。しかしながら、タブレット型コンピュータの本体のスクリーンとは反対側の面を保護することができない。
【先行技術文献】
【特許文献】
【０００３】
【特許文献１】実用新案登録第３１７０５１２号公報
【考案の概要】
【考案が解決しようとする課題】
【０００４】
本考案の主要目的はタブレット型コンピュータの折り畳み可能なカバーを提供することにある。
【課題を解決するための手段】
【０００５】
請求項１に係る考案によると、タブレット型コンピュータを保護するカバーであって、下部ケースおよび上部カバーを備える。下部ケースは、タブレット型コンピュータを覆い、タブレット型コンピュータのハードウェアを保護する。上部カバーは、複数の折目を有し、下部ケースに回転可能に接続され、タブレット型コンピュータのスクリーンを保護する。折目に沿って上部カバーを折ると、上部カバーと下部ケースとは、タブレット型コンピュータを支持可能な立体的な形状を形成する。
【図面の簡単な説明】
【０００６】
【図１】本考案の第１実施形態によるタブレット型コンピュータの折り畳み可能なカバーを示す模式図である。
【図２】本考案の第２実施形態のタブレット型コンピュータの折り畳み可能なカバーを示す模式図である。
【図３】本考案の第２実施形態のタブレット型コンピュータの折り畳み可能なカバーを示す模式図である。
【図４】本考案の第２実施形態のタブレット型コンピュータの折り畳み可能なカバーの応用例を示す模式図である。
【図５】本考案の第２実施形態のタブレット型コンピュータの折り畳み可能なカバーの応用例を示す模式図である。
【図６】本考案の第２実施形態のタブレット型コンピュータの折り畳み可能なカバーの応用例を示す模式図である。
【図７】本考案の第２実施形態のタブレット型コンピュータの折り畳み可能なカバーの応用例を示す模式図である。
【図８】本考案の第３実施形態のタブレット型コンピュータの折り畳み可能なカバーを示す模式図である。
【図９】本考案の第４実施形態のタブレット型コンピュータの折り畳み可能なカバーを示す模式図である。
【図１０】本考案の第４実施形態のタブレット型コンピュータの折り畳み可能なカバーを示す模式図である。
【図１１】本考案の第４実施形態のタブレット型コンピュータの折り畳み可能なカバーの応用例を示す模式図である。
【図１２】本考案の第４実施形態のタブレット型コンピュータの折り畳み可能なカバーの応用例を示す模式図である。
【図１３】本考案の第４実施形態のタブレット型コンピュータの折り畳み可能なカバーの応用例を示す模式図である。
【考案を実施するための形態】
【０００７】
本考案によるタブレット型コンピュータの折り畳み可能なカバーの実施形態を図１から図１３に基づいて説明する。
【０００８】
（第１実施形態）
図１に基づいて第１実施形態を説明する。
図１に示すように、下部ケース（ｃａｓｅ）１０は、タブレット型コンピュータ（ｃｏｍｐｕｔｅｒ）内部のハードウェア（ｈａｒｄｗａｒｅ）を保護するのに用いられる。下部ケース１０の周囲枠１１の外形は円弧形であり、タブレット型コンピュータを保護する。下部ケース１０には複数個の孔が設けられ、孔１４はＵＳＢスロット（ｓｌｏｔ）の位置に対応し、外部ハードウェアとの接続に用いられる。孔１２は、コンピュータのスピーカ（ｓｐｅａｋｅｒ）の位置に対応し、コンピュータが作動した時に発生する熱を放出する。下部ケース１０には、数個の孔１３が設けられている。
【０００９】
上部カバー２０は、互交折目を有する。互交折目は、上部カバー２０を三つの三角形部分Ａ、Ｂ、Ｃ及び二つの長方形部分Ｄ、Ｅ分ける。二枚の直角に近い三角形部分Ａ、Ｃは二等辺に近い三角形部分Ｂを挟む。各直角三角形部分Ａ、Ｃは底辺に、長方形部分Ｄ、Ｅが接続されている。
【００１０】
（第２実施形態）
図２〜図７に基づいて第２実施形態を説明する。第１実施形態と異なっている部分のみを説明し、第１実施形態と同様の構成についての説明を割愛する。また、同様の構成部分については同一の符号を付す。
本実施形態では、上部カバー２０は、折目Ｈに平行する平行折目Ｆ、Ｇを有する。
【００１１】
上部カバー２０が閉められると、タブレットコンピュータのスクリーンが覆い被せられ、スクリーンが保護される（図５参照）。
【００１２】
収納時、タブレット型コンピュータ３００を下部ケース１０の上に載せ、上部カバー２０がタブレット型コンピュータ３００に覆い被さる。
【００１３】
使用時、本実施形態は、二種の折り畳み方式を有し、図４に示す第一種折り畳み方式は、上部カバー２０を互交折目に沿って折る方式である。
また、図５に示す第二種折り畳み方式は、上部カバー２０を平行折目に沿って折る方式である。
【００１４】
平行折目および互交折目の組み合わせにより、前記上部カバー２０はより多い折り畳み方式を備え、使用ニーズに適応することができる。
【００１５】
（第３実施形態）
図８に基づいて第３実施形態を説明する。第１実施形態と異なっている部分のみを説明し、第１実施形態と同様の構成についての説明を割愛する。また、同様の構成部分については同一の符号を付す。
本実施形態では、図８に示すように、二枚の長方形部分Ｄ、Ｅは、対角線に沿って形成される折目により、複数の三角形部分Ｌ、Ｍ、Ｎ、Ｏに分けられる。
【００１６】
（第４実施形態）
図９〜１３に基づいて第４実施形態を説明する。第２実施形態と異なっている部分のみを説明し、第２実施形態と同様の構成についての説明を割愛する。また、同様の構成部分については同一の符号を付す。
本実施形態では、図９に示すように、二枚の長方形部分Ｄ、Ｅは、対角線に沿って形成される折目により、複数の三角形部分Ｌ、Ｍ、Ｎ、Ｏに分けられる。
本実施形態は、二種の折り畳み方式を備え、図１１、１２に示す第一種折り畳み方式は、上部カバー２０を互交折目に沿って折る方式である。また、図１３に示す第二種折り畳み方式は、上部カバー２０を平行折目に沿って折る方式である。
【００１７】
上部カバー２０が折り畳まれた後、下部ケース１０と結合してタブレット型コンピュータ３００を支えることができる。また、タブレット型コンピュータ３００を横または縦にすることができ、使用者のニーズに応じてタブレット型コンピュータ３００の角度を変えることができる。
【００１８】
上述の実施形態では、収納時上部カバー２０によりタブレット型コンピュータ３００のスクリーンが保護され、使用時上部カバー２０によりタブレット型コンピュータ３００が支えられる。よって、タブレット型コンピュータ３００を支持するための支持部材を別途用意する必要なく利用者の利便性を向上させる。
【００１９】
以上説明した本発明は、上記実施形態に限定されるものではなく、その要旨を逸脱しない範囲で種々の実施形態に適用可能である。
【符号の説明】
【００２０】
１・・・タブレット型コンピュータの折り畳み可能なカバー、
１０・・・下部ケース、
２０・・・上部カバー。
【図１】
0003174584.tif 000003
【図２】
0003174584.tif 000004
【図３】
0003174584.tif 000005
【図４】
0003174584.tif 000006
【図５】
0003174584.tif 000007
【図６】
0003174584.tif 000008
【図７】
0003174584.tif 000009
【図８】
0003174584.tif 000010
【図９】
0003174584.tif 000011
【図１０】
0003174584.tif 000012
【図１１】
0003174584.tif 000013
【図１２】
0003174584.tif 000014
【図１３】
0003174584.tif 000015